(57)【特許請求の範囲】
【請求項１】
燻煙剤と接する加熱容器の内部に固体発熱剤が充填され、該固体発熱剤と反応して発熱を開始させる液体発熱開始剤の充填された封入容器が、該加熱容器の上方に配置され、該加熱容器と該封入容器との間には、略横方向へ抜取り可能な仕切り板が配置され、該仕切り板の抜取られた状態で該封入容器を押し下げることにより該封入容器が破れ、該発熱が開始することを特徴とする燻煙剤用加熱具。
【請求項２】
押し下げ可能な蓋で該封入容器が覆われ、該仕切り板の下方に穿刺具が配置されていることを特徴とする請求項１に記載の燻煙剤用加熱具。
【請求項３】
該固体発熱剤が過マンガン酸カリウムであり、該液体発熱開始剤がエチレングリコールであることを特徴とする請求項１または２に記載の燻煙剤用加熱具。
【請求項４】
該固体発熱剤が酸化カルシウムであり、該液体発熱開始剤が水であることを特徴とする請求項１または２に記載の燻煙剤用加熱具。
【発明の詳細な説明】
【０００１】
【発明の属する技術分野】
本発明は、燻煙剤を加熱して、燻煙を開始させ、それに含まれる病害虫の殺虫成分を気化し霧散させるための燻煙剤用加熱具に関するものである。
【０００２】
【従来の技術】
家屋や農業ハウスの病害虫を駆除するために、加熱されると燻煙を開始し発煙する成分と気化する病害虫殺虫成分とを含有している燻煙剤が使用される。この燻煙剤の加熱には燻煙剤用加熱具が用いられる。
【０００３】
汎用されている加熱具には、例えば着火することにより金属酸化物とケイ素等の混合物に点火して誘発される自己燃焼の反応熱を利用するものや、酸化カルシウムに水を注ぎ込むことにより発生する水和反応熱を利用するものがある。前者はマッチ等で着火しなければならないので面倒である。後者は使用者が水を注ぎ込まなくてはならないうえその量が多すぎると十分発熱せず一方少なすぎると局所的な発熱となってしまい、燻煙剤を十分に加熱できないという問題がある。また、加熱具は使用時に速やかに３００℃以上の高温に達し、速やかに燻煙を開始するものが望まれるが、後者ではこの点が十分ではない。
【０００４】
特開平３−２００５７３号公報には、熱伝導性の良好な金属製包装体の内部に所量の生石灰と、その上方に配置される所量の水を封入した破断可能な隔膜とからなる液体加熱用包装体が開示されている。この包装体の上部から差し込んだ押込ピンで隔膜を突破るだけでは、水が完全に流れ出ずに隔膜上に残留してしまうので、十分に発熱しない虞がある。
【０００５】
【発明が解決しようとする課題】
本発明は、前記の課題を解決するためなされたもので、燻煙剤を十分に加熱することのできる安全な燻煙剤用加熱具を提供することを目的とする。
【０００６】
【課題を解決するための手段】
前記目的を達成するためになされた本発明の燻煙剤用加熱具について、実施例に対応する図１を参照して説明する。燻煙剤用加熱具１は、燻煙剤２３と接する加熱容器２０の内部に固体発熱剤２２が充填され、固体発熱剤２２と反応して発熱を開始させる液体発熱開始剤１３の充填された封入容器１２が、加熱容器２０の上方に配置され、加熱容器２０と封入容器１２との間には、略横方向へ抜取り可能な仕切り板１６が配置され、仕切り板１６の抜取られた状態で封入容器１２を押し下げることにより封入容器１２が破れ、発熱が開始することを特徴としている。
【０００７】
燻煙剤用加熱具１は、押し下げ可能な蓋１１で封入容器１２が覆われ、仕切り板１６の下方に穿刺具２１が配置されていることが好ましい。
【０００８】
固体発熱剤２２が過マンガン酸カリウムであり、液体発熱開始剤１３がエチレングリコールであることが好ましい。このとき過マンガン酸カリウムの粒度が＃３０〜＃１００であると、エチレングリコールが底部の過マンガン酸カリウムにまで浸透し効率的に反応させることができる。その結果、加熱具１は適度な反応時間中、十分に燻煙剤２３を加熱することができる。この粒度が＃１００より細かいと、過マンガン酸カリウムの表面面積が大きいために急激に反応が進行して容器２０の内圧が上昇してエチレングリコールや過マンガン酸カリウムが吹き出したり、過マンガン酸カリウムが細かすぎてエチレングリコールが浸透し難くなってしまう。その結果、反応が不十分となって、加熱具１は十分に発熱しなくなる。一方、粒度が＃３０より粗いと、過マンガン酸カリウムの表面面積が小さすぎてエチレングリコールとの反応が起こり難くなる。その結果、加熱具１の燻煙開始時間が極度に遅くなってしまう。過マンガン酸カリウムの充填量は０．３〜３ｇ、エチレングリコールの充填量は０．２〜２ｇであることが好ましい。なお、エチレングリコールを希釈せずに用いると、過マンガン酸カリウムの量が少なくてすみ、加熱具１を小型にすることができる。
【０００９】
固体発熱剤２２が酸化カルシウムであり、液体発熱開始剤１３が水であってもよい。酸化カルシウムの充填量は３〜３０ｇ、水の充填量は１〜１０ｇであることが好ましい。酸化カルシウムの形状は、水が浸透し易いように、粒状、穴のあいたペレット状、または多孔質のペレット状であることが好ましい。
【００１０】
固体発熱剤２２には、反応速度を制御するバインダを添加する必要がない。
【００１１】
この燻煙剤用加熱具１を用いると、仕切り板１６を抜取り、蓋１１を押し下げるという簡便な操作により、液体発熱開始剤を一気に固体発熱剤と接触させて反応させることができるので、確実かつ安全に、また安定して加熱を開始させることができる。
【００１２】
【発明の実施の形態】
以下、本発明の燻煙剤用加熱具の実施例を、図面を参照して詳細に説明するが、これに限定するものではない。
【００１３】
図１には本発明の燻煙剤用加熱具１の実施例の正面縦断面図を示してある。
同図に示すとおり、燻煙剤用加熱具１は、金属製の加熱容器２０に仕切り板１６が載置されている。加熱容器２０に嵌合する蓋１１で覆われて袋状となっている、液体発熱開始剤１３の封入容器１２が、仕切り板１６に載っている。加熱容器２０の内部には、固体加熱剤が充填され、尖端を露出させている穿刺具２１が封入容器１２へ向いて配置されており、加熱容器２０と蓋１１とは、リテーナ１７により把持されている。仕切り板１６はリテーナ１７に設けられた切り欠き１９に載って、リテーナ１７から突き出している。
【００１４】
加熱容器２０の材質は、熱伝導性のよいアルミニウム、鉄、ステンレス、銅等のいずれかの金属である。加熱容器２０の金属表面は必要に応じメッキや合成樹脂のラミネート加工などの防錆処理が施されている。加熱容器２０は、厚さ０．２〜０．５ｍｍの前記金属製の板からプレス加工により製造されたものである。加熱容器２０の外形は、製造性や取扱性のよい円柱形または四角柱形である。加熱容器２０の口にはフランジが設けられている。
【００１５】
加熱容器２０の内部には、穿刺具２１が設置され、固体発熱剤２２が充填されている。固体発熱剤２２は、穿刺具２１の元部を埋没させている。穿刺具２１の尖端は、封入容器１２へ向いて、固体発熱剤２２から突き出ている。
【００１６】
穿刺具２１は、硬い樹脂または金属製であって、その尖端は針状、または鋭利な板状となっている。
【００１７】
加熱容器２０は、振動に耐えるが容易く突き破られるフィルム１８で、密閉されている。フィルム１８は、ラミネート加工されたアルミニウムフィルムである。
【００１８】
フィルム１８上に、仕切り板１６が載せられている。仕切り板１６は、厚さ１〜２ｍｍであって耐衝撃性の高い射出成型可能な樹脂、または金属でできている。仕切り板１６は、加熱容器２０と蓋１１とを遮断している。
【００１９】
仕切り板１６には、漏斗１４が載っている。漏斗１４は、中央が窪んでおり、窪みの中心からは、穿刺具２１の貫通する管状の脚１５が伸びている。その脚１５の下端は尖っており、Ｖ字状、逆Ｖ字状または波状になっている。漏斗１４の材質は、射出成型可能な、ナイロン、ポリプロピレン、アクリロニトリル−ブタジエン−スチレン樹脂、またはポリカーボネートからなる樹脂である。
【００２０】
封入容器１２が、漏斗１４の窪みの上に載置されている。封入容器１２は、蓋１１で覆われ、漏斗１４と蓋１１とのなす空間に挟まれている。封入容器１２は、穿刺具で突き刺されて破裂する膜で形成されており、液体発熱開始剤１３を封入している。この膜は、厚さが５０μｍ〜８０μｍであり、ポリエチレン、ポリエチレンテレフタレート、ナイロン、ポリビニルアルコール、またはポリ塩化ビニリデンからなる、単一のフィルムまたは２種以上のラミネートフィルムであって、２枚のフィルムの四方を熱融着したものである。
【００２１】
蓋１１はその中央が垂れ下がって、漏斗１４の窪みに適合する肉厚となっている。蓋１１の材質は、熱変形温度が２００〜２５０℃程度であって射出成型可能な、ナイロン、ポリアミドイミド、またはポリフェニレンサルファイドからなる樹脂であり、入手容易なナイロンが好適である。
【００２２】
漏斗１４や蓋１１には、蓋１１とリテーナ１７との内部空間が通気する溝や、外界と繋がる溝（不図示）が設けられている。なお、溝に代えて突起を設け、漏斗と、蓋１１やリテーナ１７との接触面に隙間を形成させてもよい。溝や突起により、封入容器１２を押し下げたときの蓋１１やリテーナ１７内の空気が排出される結果、液体発熱開始剤１３が滞りなく流れ出る。
【００２３】
蓋１１と加熱容器２０とは、リテーナ１７で包み込まれて把持され、一体化している。リテーナ１７の材質は、熱変形温度が２００〜２５０℃程度であって射出成型可能な、ナイロン、ポリアミドイミド、またはポリフェニレンサルファイドからなる樹脂であり、入手容易なナイロンが好適である。
【００２４】
この燻煙剤用加熱具１は、燻煙装置２に組み込まれて使用される。燻煙装置２は、鉄やアルミニウム等のような金属、ポリプロピレンやポリエチレン等のような合成樹脂、紙のいずれかの材質である燻煙容器３１に充填されている殺虫成分を含んだ燻煙剤２３の一部が、燻煙剤用加熱具１の加熱容器２０に接し、燻煙容器３１がリテーナ１７の有するフック状の爪３０で係止されたものである。
【００２５】
病害虫を駆除する際には、以下のように燻煙剤用加熱具１を動作させて、燻煙装置２を使用する。
【００２６】
先ず、図３に示す燻煙剤用加熱具１の上面図のように、仕切り板１６を抜取る。すると、漏斗１４管状の脚１５の尖った下端がフィルム１８に当たる。
【００２７】
図２に示すように、蓋１１を下向きに押し込むと、この脚１５の下端が、フィルム１８を突き破る。漏斗１４の脚１５は、加熱容器２０に押し込まれる。
【００２８】
すると、穿刺具２１が漏斗１４の脚１５の管孔を貫通し、ついには穿刺具２１の尖端が封入容器１２に達し、封入容器１２を形成している膜を突き刺して破裂させる。液体発熱開始剤１３が、封入容器１２の破裂口から流れ出す。蓋１１を押し込み続けると、蓋１１の中央の垂れ下がった内壁が封入容器１２を押し付ける結果、液体発熱開始剤１３が押し出されて、完全に封入容器１２から流れ出る。流れ出た液体発熱開始剤１３は、漏斗１４の脚１５の内壁を伝わり、液滴となって固体発熱剤２０に降り注ぐ。
【００２９】
液体発熱開始剤１３と固体発熱剤２２とが接触して反応し、発熱する。この熱が加熱容器２０に伝播し燻煙剤２３を加熱する結果、燻煙剤２３は燻煙を開始し、燻煙により気化した殺虫成分とともに煙が発生する。煙は、燻煙容器３１にあけられている噴煙孔３２から噴出する。
【００３０】
以下に、本発明を適用する燻煙剤用加熱具１を、実際に試作した例を示す。
【００３１】
加熱容器２０として、外径１２ｍｍ深さ２０ｍｍ肉厚０．５ｍｍの円筒状であって、その口に外径１６ｍｍのフランジを有するアルミニウム製のものを用いた。長さ１９ｍｍのポリカーボネート製の穿刺具２１をこの加熱容器２０へ挿入して、穿刺具２１の底部を接着固定した。発熱剤２２として粒度＃３０〜＃１００の過マンガン酸カリウム０．７ｇを、加熱容器２０に充填し、穿刺具２１の元部を埋没させた。
【００３２】
加熱容器２０のフランジ面に、外径が１６ｍｍの樹脂とアルミニウムとのラミネートフィルム１８を貼りつけ、加熱容器２０を密閉した。
【００３３】
外径１０．７ｍｍ内径７ｍｍ高さ５ｍｍで先端がＶ字に削れらた管状の脚１５を窪みの中央に有する外径２０ｍｍのナイロン製の漏斗１４上に、厚さ７０μｍのラミネートフィルム製で四方を熱溶融してあり液体発熱開始剤１３としてエチレングリコール０．４ｍＬ（約０．４５ｇ）の封入された封入容器１２を載せた。
【００３４】
この封入容器１２と漏斗１４とを、外径２４ｍｍ内径２１ｍｍ高さ１６ｍｍのナイロン製の蓋１１で覆った。
【００３５】
リテーナ１７に加熱容器２０を挿入し、次いでリテーナ１７の切り欠き１９から幅１５ｍｍ長さ４５ｍｍ厚さ１．５ｍｍでナイロン製の仕切り板１６を挿入し、この仕切り板１６の上に、蓋１１と漏斗１４と封入容器１２とを載置した。蓋１１および加熱容器２０をリテーナ１７で把持させて一体化させて、燻煙剤用加熱具１を得た。
【００３６】
試作したこの燻煙剤用加熱具１の耐震性試験を行った。先ず加熱具１を、振動試験機に取り付けた。加熱具１に周波数１５Ｈｚ、重力加速度２Ｇの振動を２時間印加した後、変形、破損、発熱剤や液体発熱開始剤の遺漏を観察した。変形、破損、遺漏は全く認められなかった。また、誤作動したものもなかった。
【００３７】
次に、燻煙剤用加熱具１の動作試験を行った。先ず試作した別な３検体の燻煙剤用加熱具１の仕切り板１６を抜取った後、蓋１１を押し込み、加熱具１の加熱容器２０の外壁の温度を熱電対により測定したところ、いずれも２５〜３０秒経過後に、燻煙剤の燻煙の開始に十分な３６１〜３７３℃に達した。
【００３８】
次に、試作した燻煙剤用加熱具１を用いて、燻煙装置を試作し、その動作試験を行った。先ず、外径５５ｍｍ深さ２０ｍｍ厚さ０．２ｍｍの鉄製の燻煙容器３１に噴煙孔３２をあけた。噴煙孔３２はポリエチレン製の熱溶融性フィルム（不図示）で塞いだ。燻煙容器３１に、メトキサジアゾン５重量部、フェノトリン２重量部、シフェノトリン０．５重量部、アゾジカルボンアミド４０重量部、ニトロセルロース１０重量部、カルボキシメチルセルロース５重量部、クレー適量からなる燻煙剤２３の２５ｇを充填した。燻煙剤２３に燻煙剤用加熱具１をさし、加熱具１のリテーナ１７の爪３０を燻煙容器３１に係止した。
【００３９】
燻煙剤用加熱具１の仕切り板１６を抜取り、蓋１１を押し込んだところ、２５秒経過後に、燻煙が開始し、熱溶融性フィルムを融かして噴煙孔３２から噴出した。燻煙は十分にすることができた。
【００４０】
【発明の効果】
以上、詳細に説明したように、本発明の燻煙剤用加熱具は、簡便な操作で発熱し、確実かつ安全に、安定して燻煙剤の燻煙を開始させることができる。さらに輸送時や保管時に誤作動を起こすことがないので安全である。この加熱具は、小型で構造が簡便であるので、経済性においても優れている。
【図面の簡単な説明】
【図１】本発明を適用する燻煙剤用加熱具の実施例を示す正面縦断面図である。
【図２】本発明を適用する燻煙剤用加熱具の実施途中を示す正面縦断面図である。
【図３】本発明を適用する燻煙剤用加熱具の実施例を示す上面図である。
【符号の説明】
１は燻煙剤用加熱具、２は燻煙装置、１１は蓋、１２は封入容器、１３は液体発熱開始剤、１４は漏斗、１５は漏斗の脚、１６は仕切り板、１７はリテーナ、１８はフィルム、１９は切り欠き、２０は加熱容器、２１は穿刺具、２２は固体発熱剤、２３は燻煙剤、３０は爪、３１は燻煙容器、３２は噴煙孔である。
【図１】
0004700827.tif 000002
【図２】
0004700827.tif 000003
【図３】
0004700827.tif 000004